(57)【特許請求の範囲】
【請求項１】
いずれも弾性材料からなる、上端近傍に設けた開口部から垂下するスカートを有するアプリケータ本体と、液体を内部に収容するカップとからなり、該カップはその上端と底部の近傍において前記アプリケータ本体のスカート内に液密に係合保持され、前記液体がアプリケータ本体の開口部に通ずるよう構成され、前記スカート内に取り付けられる前記カップの壁の主要部がスカートから離隔してその間に空気室を形成すると共に、該空気室内にスペーサを介装させたことを特徴とする二重壁構造のアプリケータ。
【請求項２】
前記スペーサは、前記アプリケータ本体のスカートに面するカップの対向する両側の実質的に垂直な線上に設けられた２つの垂直なリブで構成されたものであることを特徴とする請求項１に記載の二重壁構造のアプリケータ。
【請求項３】
前記スペーサは、前記カップの壁の外面上に成形されていることを特徴とする請求項２に記載の二重壁構造のアプリケータ。
【請求項４】
前記カップは、弾性係止手段によってアプリケータ本体のスカート内に取り付けられていることを特徴とする請求項１に記載の二重壁構造のアプリケータ。
【請求項５】
前記カップとアプリケータ本体のスカートは、それらの上端と底部の近傍に液密な係合を形成するための手段を有し、カップの底部がほぼ完全にスカート内に位置するよう構成したことを特徴とする請求項１に記載の二重壁構造のアプリケータ。
【請求項６】
前記アプリケータ本体は、該アプリケータ本体の開口部の周囲に水平面における断面がほゞ楕円形もしくは長方形を有するショルダーと、該ショルダーから垂下するほゞ楕円形もしくは長方形のスカートとを有し、前記カップとスカートの対向壁は、空気室の上端と底部の間の主要部に沿って概ね同じ形状としたことを特徴とする請求項１に記載の二重壁構造のアプリケータ。
【請求項７】
前記アプリケータ本体は、前記スペーサに重なる表面部分に摩擦要素を設けたことを特徴とする請求項２に記載の二重壁構造のアプリケータ。
【請求項８】
前記アプリケータ本体は、その上端に該アプリケータ本体の開口部に液体が通ずるノズルを有することを特徴とする請求項１記載の二重壁構造のアプリケータ。
【請求項９】
いずれも弾性を有するプラスチック材料からなる、液体注出開口部を持つショルダーと、該ショルダーから垂下するスカートとからなる中空のアプリケータ本体と、内部に液体を収容し、前記アプリケータ本体の内部に設けられるカップとからなり、前記カップは上端がアプリケータ本体の前記液体注出開口部に液体が連通し、この上端と底部の近傍をアプリケータ本体内に液密に係合し、アプリケータ本体の前記スカートの主要部がカップの壁から離隔してその間に空気室を形成し、該空気室内にカップの壁がスカートに接触しないようにスペーサを介装させたことを特徴とする二重壁構造のアプリケータ。
【請求項１０】
前記カップの壁の外周は、該カップの壁に対向するアプリケータ本体のスカートとほぼ同じ形状の水平断面を有することを特徴とする請求項９に記載の二重壁構造のアプリケータ。
【請求項１１】
前記アプリケータは、カップの上部と底部の近傍に設けた弾性係止手段と、アプリケータ本体のスカートの上部と底部の近傍に設けた弾性係止手段とが協働してアプリケータ本体に対してカップを液密に係合させるものであることを特徴とする請求項９に記載の二重壁構造のアプリケータ。
【請求項１２】
前記アプリケータ本体のスカートは、空気室内の実質的に同じ垂直面にある２つのスペーサの各々と重なる部分の外側面に摩擦要素を設けたことを特徴とする請求項１１に記載の二重壁構造のアプリケータ。
【請求項１３】
前記アプリケータ本体のショルダーとスカートは、ほゞ長方形もしくは楕円形の水平断面を有し、スペーサはカップのほゞ長方形もしくは楕円形の長辺の中程に位置する垂直のリブであり、カップの壁の上部と底部との間の主要部に亘って、各スペーサのリブの間におけるカップの壁の外周とスカートの距離が水平面で実質的に等しく、カップの壁が全体としてスカート内にあることを特徴とする請求項１１に記載の二重壁構造のアプリケータ。
【請求項１４】
いずれも弾性材料からなる、液体注出開口部と、該液体注出開口部に連通して接着剤を液滴状に塗布するノズルとを持つショルダーと、該ショルダーから垂下するスカートとからなる垂直に長く伸びた楕円形状をなすと共に、前記スカートの上端内側と底部との近傍に弾性係止手段を設けたアプリケータ本体と、内部に液体を収容し、アプリケータ本体の前記スカート内に取り付けられる楕円形状のカップとからなるものであって、前記カップの開口端は上方においてアプリケータ本体の開口部と接着剤を連通し、カップの上端と底部の近傍に設けた弾性係止手段とスカートの前記弾性係止手段が協働してカップとスカートの壁の間に空気室を形成してカップがスカートに液密に係合されると共に、カップの壁の対向する各側面上にスカートに向かって垂直なリブからなるスペーサを楕円形状の長軸のほゞ中央に形成したことを特徴とする二重壁構造のアプリケータ。
【請求項１５】
前記の弾性係止手段は、スナップ係止手段を含むものであることを特徴とする請求項１４に記載の二重壁構造のアプリケータ。
【請求項１６】
前記スカートの上端近傍の液密係合のためのスナップ係止手段は、スカートと間隔を保持してショルダーから下方に垂下する前記スカートと実質的に同じ水平断面のフランジを備え、該フランジはスカートとの空間内にカップの上端を液密に受け入れて係合するようになっており、前記フランジに対向してスカートの内周面に設けた周溝に、カップの上端近傍に形成した外周ビードをスナップ係止するもので、カップの底部近傍のスナップ係止手段は、スカートの内側の底部近傍に設けた周溝に、カップの底部近傍に設けた外周ビードを受け入れるよう構成したものであることを特徴とする請求項１４に記載の二重壁構造のアプリケータ
【請求項１７】
前記アプリケータは、スカートの外側に、カップに設けたスペーサと重畳した摩擦要素を設けたことを特徴とする請求項１４に記載の二重壁構造のアプリケータ。
【請求項１８】
前記カップとスカートとの間隔は、カップの壁の主要な部分に沿った各スペーサの間におけるカップの壁の外周とスカートの壁について、水平面においてほぼ同じであることを特徴とする請求項１４に記載の二重壁構造のアプリケータ。
【請求項１９】
前記アプリケータ本体は、スカートの上端と底部に弾性係止手段を備えてショルダーとノズルおよびスカートとを均一に一体化したものであることを特徴とする請求項１４に記載の二重壁アプリケータ。
【発明の詳細な説明】
【０００１】
【発明の属する技術分野】
この発明は接着剤等を収容する二重壁構造のアプリケータに係り、特に、弾性材料による射出成形で得られ、シアノアクリレート接着剤のような物質を塗布するのに適したツーピースからなるアプリケータに関する。
【０００２】
【従来の技術】
シアノアクリレートのような接着剤のための従来のアプリケータには、数々の問題点がある。
このようなアプリケータは、一般的にプラスチック素材またはアルミニウムのような薄い金属によってチューブ形状に構成されている。この金属製のチューブによるものは扱い難いことが多く、接着剤を一滴づつ塗付する場合にそれを調節するのが困難である。
また、プラスチック素材は概して光と湿気により悪影響を受ける。
さらに、このようなアプリケータの多くは、制御して正確にかつ容易に接着剤を注出することが困難である。
【０００３】
【発明が解決しようとする課題】
このようなアプリケータは、わずかな量の接着剤を厳密な位置に正確に注出することができるものでなければならない。
【０００４】
この発明の目的は、前記従来技術の持つ課題を解決して、内部にシアノアクリレート接着剤などの接着剤を収容して、光と熱に対する影響を受けることなく、正確な量を注出することができる二重壁構造のアプリケータを提供せんとするものである。
【０００５】
【課題を解決するための手段】
前記の目的を達成するため、この発明の請求項１に記載の二重壁構造のアプリケータは、いずれも弾性材料からなる、上端近傍に設けた開口部から垂下するスカートを有するアプリケータ本体と、液体を内部に収容するカップとからなり、該カップはその上端と底部の近傍において前記アプリケータ本体のスカート内に液密に係合保持され、前記液体がアプリケータ本体の開口部に通ずるよう構成され、前記スカート内に取り付けられる前記カップの壁の主要部がスカートから離隔してその間に空気室を形成すると共に、該空気室内にスペーサを介装させたことを特徴とするものである。
【０００６】
また、この発明の請求項９に記載の二重壁構造のアプリケータは、いずれも弾性を有するプラスチック材料からなる、液体注出開口部を持つショルダーと、該ショルダーから垂下するスカートとからなる中空のアプリケータ本体と、内部に液体を収容し、前記アプリケータ本体の内部に設けられるカップとからなり、前記カップは上端がアプリケータ本体の前記液体注出開口部に液体が連通し、この上端と底部の近傍をアプリケータ本体内に液密に係合し、アプリケータ本体の前記スカートの主要部がカップの壁から離隔してその間に空気室を形成し、該空気室内にカップの壁がスカートに接触しないようにスペーサを介装させたことを特徴とするものである。
【０００７】
さらに、この発明の請求項１４に記載の二重壁構造のアプリケータは、いずれも弾性材料からなる、液体注出開口部と、該液体注出開口部に連通して接着剤を液滴状に塗布するノズルとを持つショルダーと、該ショルダーから垂下するスカートとからなる垂直に長く伸びた楕円形状をなすと共に、前記スカートの上端内側と底部との近傍に弾性係止手段を設けたアプリケータ本体と、内部に液体を収容し、アプリケータ本体の前記スカート内に取り付けられる楕円形状のカップとからなるものであって、前記カップの開口端は上方においてアプリケータ本体の開口部と接着剤を連通し、カップの上端と底部の近傍に設けた弾性係止手段とスカートの前記弾性係止手段が協働してカップとスカートの壁の間に空気室を形成してカップがスカートに液密に係合されると共に、カップの壁の対向する各側面上にスカートに向かって垂直なリブからなるスペーサを楕円形状の長軸のほゞ中央に形成したことを特徴とするものである。
【０００８】
【発明の実施の形態】
この発明の二重壁構造のアプリケータ（以下、単にアプリケータという。）の一態様によれば、アプリケータは弾性材料からなるものであって、
（イ）上部に開口部を有すると共に、このアプリケータ開口部より垂下する環状のスカートを有するアプリケータ本体と、
（ロ）前記環状のスカート内にあり、アプリケータ開口部に連通する液体を収容するようになっており、上端と底部の近傍において液密係合の状態でスカートの内部に取り付けられ、スカートの側面の壁との間で間隔を保持して配置されてその間に空気室を生じ、該空気室内にスペーサを設けたカップとから構成される。
【０００９】
また、この発明の他の態様において、このアプリケータは弾性材料からなるものであって、
（ａ）アプリケータ本体は垂直に引き伸ばされた楕円形をなし、液体注出開口部を持つショルダーと、該液体注出口部と液体連通して接着剤を滴状に塗布するようになっているノズルとを有し、前記ショルダーから下方に向かってスカートが垂下し、アプリケータ本体の上端近傍の内部に弾性係止手段のような弾性部材が形成されている。
たとえば、スカートはショルダーの内側面上に下方に下がる形状のフランジを有し、このフランジは相対するスカートの内側に、該スカートとフランジの間に実質的に均一なスペースが残されるような弾性係止手段を有し、フランジはその外側にあるスカートの形状にしたがっており、また、スカートの底部近傍にも弾性係止手段を有する。
（ｂ）一方、カップはアプリケータ本体の前記開口部に液体連通する開口端が上方に面してスカート内に取り付けらる楕円形状をなし、上部開口端近傍のカップの壁は、スカートの壁とショルダーの下で下方に向かって垂れ下がる前記フランジとの間のスペース内に、アプリケータ本体と弾性係止係合するように嵌装される。
カップの底部はスカートの底部の弾性係止手段と協働して取り付けられる弾性係止手段を有し、これらの弾性係止手段の間のカップ側面とスカート側面は離隔して空気室を形成する。
水平面におけるカップとスカートの相対する側面の壁の構造は全体として互いに合致するもので、空気室の対向壁が互いに接しないように、空気室の中に垂直のスペーサが備えられている。
【００１０】
この発明のアプリケータのさらに好ましい他の態様は、スペーサと摩擦要素の位置に関する。
また、好ましい態様において、前記空気室は、アプリケータの実質的な直径方向の相対する側面に２つのスペーサを有する。
【００１１】
図示しないものの、この発明のアプリケータは、通常、長く延びたキャップを有し、このキャップはノズルの底部近傍のネジ山と協働するネジ山を有して液密な係合を形成することができ、また、このキャップの内部はノズル開口部を封じるためのノズル上端に接する天頂を有する。
【００１２】
この発明のアプリケータは、好ましくは、高密度のポリエチレン又はポリプロピレンなどの弾性熱可塑性高分子物質からなる弾性プラスチック材料によって形成され、アプリケータ本体と、カップとの２つの部品で構成されている。
【００１３】
アプリケータ本体は、好ましくは上端近傍にショルダーを有し、このショルダーから下方に向けて垂下するスカートと、前記ショルダー内にあるアプリケータ開口部と、該アプリケータ開口部との間で液体を連通するノズルとからなっている。
【００１４】
このアプリケータは内部容器としてのカップを備え、カップはアプリケータ本体の開口部と液体を連通するためのカップ開口部を有し、アプリケータ本体のスカート内に取り付けられるものである。
【００１５】
ショルダーの内側面とスカートの内側面の上部の間には、弾性を有する溝（ｓｌｏｔ）のような弾性係止手段がある。
さらに、カップの上端にはこの弾性係止手段と協働して係合させるための外周ビードと、スカートの内側面上部にこの外周ビードに係合する周溝との係合によるスナップ係止手段を有する。
カップとスカートの底部にはさらに、この二つの部分を共に保持するための弾性係止手段を有する。
【００１６】
カップの壁の形状は、スカートの対向する側面と、その主要な部分に亙って概ね一致し、スカートとカップの壁の間の間隔（スペース）は、カップの壁の外周とカップの壁の主要な部分に沿ったスカートとについて水平面においてほゞ等しい。
【００１７】
このスカート部とカップは、スカートの内側面とカップの壁の外側面が空間によって分離され、カップの上端と底部の近傍の弾性係止手段がスカートの上端と底部の近傍に形成した弾性係止手段とそれぞれ協働してその間に液をシールした空気室を形成する。
【００１８】
カップは、その壁の上にスカートに向かって成形された少なくとも一つのリブを有し、このリブはカップの壁の底部近傍からカップの上端に向かって上方に延在する。
【００１９】
このリブの厚みは、スカートの側面がカップ壁の側面と接触しないように保つセパレータの作用を果たす。
【００２０】
アプリケータ本体のスカートの外側面は典型的には表面が非常に滑らかで、アプリケータが滑るのを防ぐため一連の盛り上がった部分による摩擦要素のエリアを有し、この盛り上がった部分は概ねカップのリブと相対するエリアに存在している。
【００２１】
スカートの外側面の盛り上がり部分による摩擦要素のエリアは、アプリケータが挟圧され、もしくは圧搾されたりして圧力が掛けられたときにスカートの内方への屈曲を生じさせるものである。
このスカートの屈曲はカップの前記リブと空気室に圧力伝えられ、空気室がエアクッションとして作用する。
【００２２】
続いて、この空気室はアプリケータ本体の開口部と細長いノズルを通って接着剤が注出されるように、カップの壁に対して内側への屈曲作用を生じさせ、エアクッションにより、接着剤を計量された滴状態で注出する際に、より優れた制御を行うことができるものである。
【００２３】
スカートの外側面上の前記摩擦要素のエリアは概ねカップのリブに重畳するので、スカートを挟圧したり圧搾したりすることによる圧力がリブによってカップに伝えられる。
【００２４】
好ましくは、垂直方向のリブは垂直面上に互いに整列するように、カップの対向する両側面上に形成され、スカートもまた、この両側面上に摩擦要素によるエリアを有してアプリケータがその摩擦要素のエリアに挟まれると、圧力が各カップのリブに伝わり、カップのリブが互いに反対方向に作用して圧力と屈曲作用をカップに伝えるものである。
【００２５】
前記「弾性係止手段」（ｒｅｓｉｌｉｅｎｔ  ｌｏｃｋｉｎｇ  ｍｅａｎｓ）という用語は、関係する部材の弾力性に依存する係止もしくは取付け手段を意味する。
たとえば、ある部材が他の対向する壁間に押し込まれ、部材が所定の位置に保持される。または、一方の部材は他方の外周もしくは内周にしっかりとはめ込まれる。
【００２６】
「スナップ係止手段」（ｓｎａｐ−ｌｏｃｋｉｎｇ  ｍｅａｎｓ）は、周溝（ｐｅｒｉｐｈｅｒａｌ  ｇｒｏｏｖｅｓ）と外周ビード（ｐｅｒｉｐｈｅｒａｌｂｅａｄｓ）とのような戻り止め手段で、弾力性を有する溝もしくは凹みの部分と、弾力性を有するビードもしくは隆起表面で構成され、これにより雄部、たとえばビードを雌部、たとえば溝に嵌め込み、２つが所定の位置に保持されることを可能とするものである。
【００２７】
こゝで注意すべきことは、前記弾性係止手段もしくはスナップ係止手段のうち一方の部材のみが弾力性を有するだけでよい。
この弾性係止手段に加え、この発明においては、ヒートシール、あるいはカップをアプリケータ本体のスカート部内に置いた後に該スカート部をカップの底部近傍に接着するなどの他の係止手段を使用することもできる。
【００２８】
【作用】
この発明の二重壁アプリケータは、いずれも弾性材料で形成されたアプリケータ本体とカップとからなるもので、アプリケータ本体に形成したスカート内に前記カップを、側面に間隔をあけて配置して二つの壁の間に空気室を形成して二重壁構造とすることにより、アプリケータの側面からカップ内に収容した接着剤に対して湿気と光が浸透することを妨げる。
また、空気室がエアクッションとして作用し、注出される接着剤の量を適切に調節することが可能となる。
さらに、スペーサにより、空気室の内壁と外壁との間に間隔があけられ、このスペーサは概して垂直の方向に設けられ、接着剤を注出する際に、親指と人差し指の操作により外側のアプリケータ本体の上で挟む動作をするとスペーサに圧力を生じさせるような位置に置かれている。
このように圧力が生じると、接着剤を保持している内側の容器の広い範囲に亘って圧力を分散することになる。
【００２９】
【実施例】
以下、この発明の実施例を添付の図面に基づいて説明するが、この発明はこの実施例に限定されるものではない。
図１〜図４は、弾性プラスチック材料で成形された、引き伸ばされた楕円形状のアプリケータ２０を示している。
このアプリケータ２０は、アプリケータ本体２１と、図９〜図１２で示されるカップ４２で構成される。
【００３０】
前記アプリケータ本体２１は、楕円形状のスカート２２、該スカート２２の比較的平らな側面の中央下部にある突出リブの形態をした摩擦要素２４、ショルダー２６、ねじ山３０を有する環状フランジ２８および基端部を環状フランジ２８の内側に固定したノズル３２を有する。
【００３１】
ノズル３２は上端近傍で内方に向かって先細りしてコーン３４を形成し、コーン３４はアプリケータ開口部３８を有するチューブ状のエレメント３６で終っている。
【００３２】
スカート２２の下にはカップ４２の外周底部フランジ４０が示されており、これは図９〜図１２において詳細に記載されている。
【００３３】
図１〜図４に示されるアプリケータ本体２１のモデルは、前記スカート２２の両フラットサイドにある摩擦要素２４に圧力を与えるために、親指と人差し指の間に無理なく収まるようになっており、０．７２インチ（１．８センチ）の厚み（楕円の短軸）、１．３４インチ（３．４センチ）の幅（楕円の長軸の端から端まで、これはフラットサイドともいう）およびアプリケータの底部からノズル開口部の上端まで、２．９１インチ（７．３センチ）の高さを有する。
【００３４】
特に、図７，図８および図１５に示すように、スカート２２の内面には、その上端近傍に周溝６０があり、カップ４２の壁は、その上端近傍に外周ビード５６を有する。
【００３５】
ショルダー２６の内面にはそこから垂下するフランジ６２があり、この垂下するフランジ６２と対向するスカート２２の内壁との間にスペース６４が形成されている。
【００３６】
フランジ６２は水平面における断面が、相対するスカート２２の内面とほぼ同じ形状を有する。
【００３７】
このようにスペース６４は、その片側にあるフランジ６２と他側にあるスカート２２とからなる弾性係止手段によって囲まれ、スカート２２に形成した周溝６０内にスナップ係止されるカップの壁の外周ビード５６に対して液密状態で嵌合するようにカップ４２の上端を受け入れている。
【００３８】
こゝで、図９〜図１２を参照すると、楕円形のカップ４２は外周底部にフランジ４０，周溝４４，外周ビード４６，外方に延在して成形した垂直なリブからなるスペーサ４８および５０を有する。
【００３９】
このスペーサ４８と５０とは、楕円の短軸について互いに正反対側に位置し、カップ４２の底部近傍からカップ４２の壁５４の高さの主要部分にわたって隆起し、スペーサ４８と５０は、楕円形のカップ４２の長軸の中点のあたりに位置している。
【００４０】
カップ４２は、底部５２と、スペーサ４８と５０の上部に延在する楕円形の壁５４とを有し、また、カップ４２は、その上端近傍に外方向に延びるスナップ係止のための外周ビード５６を有する。
【００４１】
カップ４２の壁５４は、対向するスカート２２の形状と概ね一致するが、大体においてより小さい寸法を有し、それによってカップ４２はスカート２２内に係合され、カップ４２の壁５４の上端と底部近傍に形成された協働的な弾性係止手段によって、カップ４２と対向するスカート２２の内面との間に液密な空気室７０が形成されている。
【００４２】
アプリケータ２０は図１３〜図１６に示すように、カップ４２の壁５４の上端近傍の外周ビード５６をスカート２２の内面の周溝６０にスナップ係止させながら、カップ４２の壁５４の上端がスカート２２とフランジ６２の間の環状スペース６４内に液密に係合するように、アプリケータ本体２１のスカート２２内にカップ４２を嵌め込むことによって組み立てられる。
【００４３】
スカート２２の底部は、カップ４２の外周ビード４６の下にある周溝４４においてスナップ係止される。
このとき、外周ビード４６は、スカート２２の底部近傍内面の周溝６６内にスナップ係止される。
【００４４】
アプリケータ２０は、その中に接着剤７４を収容している。
【００４５】
スカート２２の周溝６０とカップ壁の外周ビード５６からなる上部スナップ係止手段より下で、カップ壁５４の底部より上のスカート２２の内径は、カップの壁５４の外径よりも大きい。
このため、液密な空気室７０がカップ壁５４とスカート２２の間に形成され、スカート２２に対して内側に向かう圧力がかけられると、この空気室７０はエアクッションとして作用する。
【００４６】
カップの壁５４に沿って垂直方向の長さの主要部分に隆起するリブからなるスペーサ４８と５０は、カップ壁５４とスカート２２間に空気室７０を構成するものである。
【００４７】
スペーサ４８と５０は、また、カップ壁５４を強化し、摩擦要素２４の付近でアプリケータ２０を挟むことなどにより力が加わった場合に、この力はカップ壁５４の広い範囲に亘って分散される。
【００４８】
カップ４２の底部５２は、内側に向かって凹んだ溝５３を持っており、この溝５３は水平面において、底部外周フランジ４０、さらに底部外周フランジ４０の底面４１とほぼ同じ形状をしている。
【００４９】
スペーサ４８と５０は、カップ壁５４の外側に成形され、カップ壁５４の水平な長軸の中点あたりで、まったく反対に向いている。
その結果、摩擦要素２４の部分でスカート２２の壁を挟むと、相対するリブ４８と５０の両方に対して圧力が加わり、この圧力はカップ壁５４に伝わる。
【００５０】
使用において、アプリケータ２０にはシアノアクレリート接着剤のような液体接着剤を入れることが好ましい。
アプリケータ２０は、親指と人差し指で圧力を与えるように親指と人差し指の間に保持される。
これによって、摩擦要素２４の部分においてアプリケータ本体２１のスカート２２に対して屈曲作用を生じさせ、その圧力はカップ壁５４上にあるスペーサ４８と５０に伝わり、壁５４を圧搾して屈曲させる。
【００５１】
この圧力は、相対するカップのスペーサ４８と５０と、さらに空気室７０の緩衝効果によりカップ４２に均一に伝わる。
これにより、続いてノズル３２を通ってカップ４２の外へ、そしてついにはアプリケータ開口部３８の外に接着剤が押し出され、この接着剤は概ね液滴状で塗布され、長いノズル３２と小さいノズル開口部３８によってこの液滴を正確に位置付けして塗布することができる。
【００５２】
水平面における断面が長円形もしくは楕円形のスカートとカップが図面に示されているが、円形、長方形もしくは正方形というような他の形状の水平断面のスカートとカップを使用してもよく、空気室を画定する水平面におけるカップ壁とアプリケータのスカートの形状は一般に同じである。
【００５３】
【発明の効果】
この発明の弾性材料からなる二重壁構造のアプリケータによれば、湿気と光が内部に入り込み接着剤に触れることが防げるとともに、さらに、二重壁の間にある空気室とその内部にあるスペーサにより、制御された方法で正確にかつ容易に接着剤を注出することが可能となる。
【図面の簡単な説明】
【図１】この発明のアプリケータの一例を示す正面図である。
【図２】図１のアプリケータの側面図である。
【図３】図１のアプリケータの底面図である。
【図４】図１のアプリケータの上面図である。
【図５】アプリケータ本体の正面図である。
【図６】アプリケータ本体の側面図である。
【図７】図６において示された線７−７における垂直断面図である。
【図８】図５において示された線８−８における垂直断面図である。
【図９】アプリケータ本体内に嵌装されるカップの正面図である。
【図１０】カップの側面図である。
【図１１】図１０における線１１−１１におけるカップの垂直断面図である。
【図１２】図９における線１２−１２におけるカップの垂直断面図である。
【図１３】図２で示された線１３−１３におけるアプリケータの垂直断面図である。
【図１４】図１で示された線１４−１４におけるアプリケータの垂直断面図である。
【図１５】図１３の部分拡大垂直断面図である。
【図１６】図１４の部分拡大垂直断面図である。
【符号の説明】
２０          アプリケータ
２１          アプリケータ本体
２２          スカート
２４          摩擦要素
２６          ショルダー
３２          ノズル
３８          アプリケータ開口部
４０          外周底部フランジ
４２          カップ
４４，６０    周溝
４６，５６    外周ビード
４８，５０    リブからなるスペーサ
５４          カップ壁
６２          フランジ
７０          空気室
【図１】
0003607918.tif 000002
【図２】
0003607918.tif 000003
【図３】
0003607918.tif 000004
【図４】
0003607918.tif 000005
【図５】
0003607918.tif 000006
【図６】
0003607918.tif 000007
【図７】
0003607918.tif 000008
【図８】
0003607918.tif 000009
【図９】
0003607918.tif 000010
【図１０】
0003607918.tif 000011
【図１１】
0003607918.tif 000012
【図１２】
0003607918.tif 000013
【図１３】
0003607918.tif 000014
【図１４】
0003607918.tif 000015
【図１５】
0003607918.tif 000016
【図１６】
0003607918.tif 000017